(57)【要約】【課題】本発明は、水みち等の集音データを表示する地図システムを提供することを目的とする。【解決手段】携帯可能な地図システム１である。そして、所定のデータを測定する測定装置４、５と、ＧＰＳの位置情報を測定する携帯ＧＰＳ端末３と、地図データを記憶する地図データ記憶手段を備える。地図データに、測定装置で測定した所定のデータとＧＰＳ装置で測定した位置情報を関連付け記憶する。【選択図】図１
2016057521.tif 000002
【特許請求の範囲】
【請求項１】
地図システムにおいて、所定のデータを測定する測定装置と、ＧＰＳの位置情報を測定するＧＰＳ機能と、地図データを記憶する地図データ記憶手段とを備え、前記地図データに、前記測定装置で測定した所定のデータと前記ＧＰＳ機能で測定した位置情報を関連付け記憶することを特徴とする地図システム。
【請求項２】
前記測定装置は、地中音測定装置であり、前記所定情報は地中音情報であり、この地中音情報と地図上の位置情報を関連付けて記憶することを特徴とする請求項１記載の地図システム。
【請求項３】
前記測定装置は、水質計であり、前記所定情報は水質情報であり、この水質情報と地図上の位置情報を関連付けて記憶することを特徴とする請求項１記載の地図システム。
【請求項４】
前記ＧＰＳ機能は、前記所定のデータを測定する測定装置または前記記憶手段に内蔵してあることを特徴とする請求項１記載の地図システム。
【発明の詳細な説明】
【技術分野】
【０００１】
この発明は、地図システムに係り、特に水みちに係るデータ等を地図上に表示する地図システムに関する。
【背景技術】
【０００２】
一般に、自然災害の一つとして土砂災害があり、このような土砂災害として、不安定な傾斜地に発生する地すべり、表層崩壊、がけ崩れ、土石流などによる災害がある。このため、水みちを測定し土砂災害の発生する場所を推定する手法がある。例えば特許文献１に示すようなものが知られている。
【先行技術文献】
【特許文献】
【０００３】
【特許文献１】特開２００６−３２２７４７号公報
【発明の概要】
【発明が解決しようとする課題】
【０００４】
上述した従来の特許文献１のものは、水みちと地図に係る情報（経度、緯度等）を関連付けるのを、手作業により行っていた。この作業は、測定場所ではできないため、測定場所で測定後に他の場所（例えば、事務所等）で行っていた。このため、再入力・整理といった二度手間になり工数が掛かるという問題があった。また、現地に精通していない作業者は調査場所等の把握が困難であった。
【課題を解決するための手段】
【０００５】
本発明は上述の問題を解決するためのものであり、請求項１に係る発明は、地図システムにおいて、所定のデータを測定する測定装置と、ＧＰＳの位置情報を測定するＧＰＳ機能と、地図データを記憶する地図データ記憶手段とを備え、前記地図データに、前記測定装置で測定した所定のデータと前記ＧＰＳ機能で測定した位置情報を関連付け記憶することを特徴とする。
【０００６】
請求項２に係る発明は、前記測定装置は、地中音測定装置であり、前記所定情報は地中音情報であり、この地中音情報と地図上の位置情報を関連付けて記憶することを特徴とする。
【０００７】
請求項３に係る発明は、前記測定装置は、水質計であり、前記所定情報は水質情報であり、この水質情報と地図上の位置情報を関連付けて記憶することを特徴とする。
【０００８】
請求項４に係る発明は、前記ＧＰＳ機能は、前記所定のデータを測定する測定装置または前記記憶手段に内蔵してあることを特徴とする。
【発明の効果】
【０００９】
水みち等の調査時に必要な資料類、地図、野帳等を、タブレットＰＣ端末に読み取り可能で、タブレットＰＣ端末１台で現地調査が可能になるという効果を奏する。
【００１０】
すなわち、地図と携帯ＧＰＳ端末により取得した位置情報による現在位置把握によって、現地に精通しない作業者でも調査対象地点の把握が可能である。また、各種地図を現地で確認することで、現地にて危険な箇所の把握ができ計測漏れがなく効率的に計測が可能である。さらに、調査結果がその場で電子化されるので、再入力・整理といった二度手間が省け、データも電子化されているため２次利用が容易になる。
【図面の簡単な説明】
【００１１】
【図１】地図システムの概略を示す概略図である。
【図２】地図システムの動作を示すフローチャートである。
【図３】地図上のプロットを説明する説明図である。
【図４】地形図上のプロットを説明する説明図である。
【図５】航空写真上のプロットを説明する説明図である。
【図６】地質上のプロットを説明する説明図である。
【発明を実施するための形態】
【００１２】
図１を参照し、地図システム１を説明する。以下、この発明の実施の形態について図面を参照して詳細に説明する。
【００１３】
初めに、地図システム１の概略を説明する。現地で地中音測定装置等５のデータを取り込み、地形図等に表示・活用するための現地調査ツールである。
【００１４】
そして、タブレットＰＣ（パーソナルコンピュータ）端末２上で、地形図、表層地質図、植生図等を背景にし、地中音測定装置５等で測定した測定データを携帯ＧＰＳ（Global Positioning System）端末２の位置情報と連動させ地図上に表示する。地図情報と測定結果を現場で確認することにより効率的かつ計測漏れのない計測が可能になる。
【００１５】
詳細に説明する。地図システム１は、タブレットＰＣ（パーソナルコンピュータ）端末２と、携帯ＧＰＳ端末３と、水質計４あるいは、地中音測定装置５と、地図作成用・解析用ディスクトップＰＣ（パーソナルコンピュータ）６を備えている。
【００１６】
前記タブレットＰＣ端末２は、コンピュータよりなり、ＣＰＵとＲＯＭ、ＲＡＭ、メモリ、入出力装置（表示画面等）を備えている。
【００１７】
前記携帯ＧＰＳ端末３は、携帯用のＧＰＳ端末で現在位置（緯度、経度、標高）を取得することができる。また、前記タブレットＰＣ端末２と通信可能である。
【００１８】
前記水質計４はＰＨ（ペーハー）、電気伝導部、濁度、塩分等を測定することにより水質を計る。また、前記タブレットＰＣ端末２と通信可能である。
【００１９】
前記地中音測定装置５は、地中音を測定するものであり、ピックアップセンサ５Ａ、測定部５Ｃ、ヘッドホン５Ｂおよび録音部で構成されている。また、地中音測定装置５は前記タブレットＰＣ端末２と通信可能である。
【００２０】
前記地図作成用・解析用ディスクトップＰＣ（パーソナルコンピュータ）６は各種地図６Ａ、６Ｂを生成しメモリに保存し、かつ、解析するコンピュータである。また、前記地図作成用・解析用ディスクトップＰＣ６はタブレットＰＣ端末２と通信可能である。
【００２１】
図２を参照し地図システム１の動作を説明する。
【００２２】
ステップＳＡ０１では、地図作成用・解析用ディスクトップＰＣ（パーソナルコンピュータ）６が、ＧＩＳ（Geographical Information System）地図を生成する。
【００２３】
ステップＳＡ０２、ステップＳＡ０３では、タブレットＰＣ端末２が、地図データの取り込みを行う。そして、地図データをメモリに出力し保存する。
【００２４】
ステップＳＡ０４では、タブレットＰＣ端末２が、タブレット内部のＧＰＳ位置情報を取り込む。ステップＳＡ０５では、現在位置情報をタブレットＰＣ端末２に出力し保存する。
【００２５】
ステップＳＡ０６では、手書きメモを入力する。そして、ステップＳＡ０７では、メモデータをタブレットＰＣ端末２に出力し保存する。これのメモデータは、地図データと関連付けられる。
【００２６】
ステップＳＡ０８では、タブレットＰＣ端末２が地図データ表示処理を行う。
【００２７】
一方、ステップＳＡ０９では、携帯ＧＰＳ端末３で現在位置の位置測定を行う。ステップＳＡ１０では、携帯ＧＰＳ端末３が、ＧＰＳ位置情報の取り込みを行う。
【００２８】
ステップＳＡ１１、ステップＳＡ１２では、ＧＰＳ位置情報のファイル入力を行い、ＧＰＳ位置情報を保持する。ステップＳＡ１３では、ＧＰＳ位置情報をタブレットＰＣ端末２のメモリに出力し記憶する。
【００２９】
一方、ステップＳＡ１４では、各種センサ（水質計４、地中音測定装置５等）が、各種センサーデータを計測する。
【００３０】
ステップＳＡ１５では、各種計測データの取り込みを行う。ステップＳＡ１６、ステップＳＡ１７では、計測データのファイル入力を行い、計測データを保持する。ステップＳＡ１８では、計測データを出力しメモリに記憶する。
【００３１】
ステップＳＡ１９では、位置情報・計測データの解析・統合処理を行う。
【００３２】
ステップＳＡ２０、ステップＳＡ２１では、位置情報・計測データ、統合データのファイル入力を行い、位置情報・計測データ、統合データを保持する。ステップＳＡ２２では、位置情報・計測データ、統合データをファイルに出力しメモリに記憶する。
【００３３】
ステップＳＡ２３では、タブレットＰＣ端末２の文字入力を行う。ステップＳＡ２４では、備考・メモ、文字データを出力する。ステップＳＡ２５では、カメラ画像データをファイル入力する。ステップＳＡ２６では、画像データを出力する。これらのデータは地図の位置データと関連づけられる。
【００３４】
ステップＳＡ２７、ステップＳＡ２８、ステップＳＡ２９では、ファイル入力を行い、表示画面用データ一覧データを保持する。そして、表示画面用データ一覧データをファイルに出力する。
【００３５】
ステップＳＡ３０では、データ表示処理を行う。ステップＳＡ３１では、データ一覧画面表示を行う。ステップＳＡ３２では、データ修正を行う。
【００３６】
ステップＳＡ３３では、地図・計測位置・現在位置画面表示を表示画面に行う。ステップＳＡ３４では、表示画面ファイルの出力を行う。
【００３７】
図３を参照する。上述の実行の結果に係る地図上における表示例を示す。地中音測定装置５で得た地中音情報と地図上の位置情報を関連付けて記憶する。その結果、測定したプロット点Ｐ１〜プロット点Ｐ８までの位置が地図上に表示される。例えば、プロット点Ｐ１を選択すると、プロット点Ｐ１で測定した水みち、水質計で測定したデータ等が表示画面に表示されるように構成されている。同様にプロット点Ｐ２〜プロット点Ｐ８のデータも選択することにより所定の情報が表示される。
【００３８】
一方、測定装置は、水質計であってもよい。所定情報は水質情報であり、この水質情報と地図上の位置情報を関連付けて記憶するものでもよい。
【００３９】
上記プロット点のデータは、他の地図と適宜重ね合わせて利用することができる。具体的な地図を下記に示す。
【００４０】
図４は背景地図が地形図である場合を示す。背景地図を地形図で表示することにより、測定した場所を現地で確認可能となる。
【００４１】
図５を参照する。背景地図を航空写真で表示することで、現地の状況と対応し視覚的に判断し易く効率的な計測が可能である。
【００４２】
図６を参照する。背景地図を地質図で表示することにより地質上の危険場所を判断し現地で確認可能となる。
【００４３】
上述のように、本発明の主な特徴は、事前に各種地図（ＡｒｃＧＩＳ（ソフトウェアの名称）で生成）をタブレットＰＣ端末２にインストールし、インターネットの無い現場においても各種地図を閲覧可能である。また、地中音測定装置５の測定データを取り込み表示可能である。そして、地中音測定装置５の測定データと携帯ＧＰＳ端末３との位置情報との連動機能を備える。
【００４４】
すなわち、ＰＣ端末２に地図を入力しておくことにより、この地図を画面に表示させることが可能となる。これにより、インターネットから地図を読み込む必要が無くなる。
【００４５】
また、地図を表示させることが可能であると共に、ＧＰＳ機能で取得した現在位置を地図上に表示させることが可能である。そして、現在位置に各種装置（地中音測定装置、水質計等）で測定したデータを関連付けしプロットすることが可能である。ここで、プロットすることができる地図は、地形図、航空写真、背景地図等に置き換えることが可能に構成されている。一方、これらの地図は何層かに組み合わせて表示することも可能である。
【００４６】
さらに、地図上に携帯ＧＰＳ端末３による現在位置の表示を行うことにより簡易ナビゲーションとして機能する。取り込んだ測定データや位置情報等を編集可能である。シンプルな操作性（タッチパネル）で扱い易い。
【００４７】
この発明は前述の発明の実施の形態に限定されることなく、適宜な変更を行うことにより、その他の態様で実施し得るものである。
【符号の説明】
【００４８】
１  地図システム
２  タブレットＰＣ（パーソナルコンピュータ）端末
３  携帯ＧＰＳ端末
４  水質計
５  地中音測定装置
６  地図作成用・解析用ディスクトップＰＣ（パーソナルコンピュータ）
【図２】
2016057521.tif 000003
【図１】
2016057521.tif 000004
【図３】
2016057521.tif 000005
【図４】
2016057521.tif 000006
【図５】
2016057521.tif 000007
【図６】
2016057521.tif 000008